(57)【要約】  【課題】  キュービクル式電気工作物においては、操作者や周辺作業者に静電気が帯電した状態で該電気工作物に接触または近接した時、該電気工作物の誤動作及び該電気工作物を構成する電気部品の故障や破損の原因となる静電気障害が起こる。  【解決手段】  電気工作物の筐体表面及び筐体内部から表面に露出し配設された操作器具類に、操作器具類と操作面側の周囲とを仕切るための操作面側が開口した導電性カバーを被せるとともに、この導電性カバーから接地点に至る放電経路を形成し、操作時に前記導電性カバーの一端を軸として開くか、または取り外すように構成することによって、操作器具類の操作前に確実に静電気が除去されるようにしたものである。  【選択図】  図１
2005222706.tif 000002
【特許請求の範囲】
【請求項１】
電気工作物の筐体表面及び筐体内部から表面に露出した操作器具類を配設したキュービクル式電気工作物において、
電気工作物の筐体表面及び筐体内部から表面に露出し配設された操作器具類に、操作器具類と操作面側の周囲とを仕切るための操作面側が開口した導電性カバーを操作器具類に被せ、且つこの導電性カバーから接地点至る放電経路を形成するとともに、前記操作器具類の操作時に前記放電経路で静電気を除去するように構成したことを特徴とするキュービクル式電気工作物の静電気除去装置。
【請求項２】
前記導電性カバーの一端と電気工作物の筐体とを支持部材を介して開閉自在に連接し、且つ前記導電性カバーと放電経路とをアース線で接続するように構成したことを特徴とする請求項１記載のキュービクル式電気工作物の静電気除去装置。
【請求項３】
前記導電性カバーに導電性の接点を設け、この導電性カバーを操作器具類に被せるように閉じた時に、前記接点が接地点に導通する筐体導電部に接触するように放電経路を形成したことを特徴とする請求項１または２記載のキュービクル式電気工作物の静電気除去装置。
【請求項４】
前記導電性カバーは電気工作物の筐体とは分離自在に構成し、且つこの導電性カバーに導電性の接点を設け、前記導電性カバーを操作器具類に被せるように取り付けた時に、前記接点が接地点に導通する筐体導電部に接触するように放電経路を形成したことを特徴とする請求項１記載のキュービクル式電気工作物の静電気除去装置。
【請求項５】
前記放電経路の途中に任意の大きさの抵抗値を有する抵抗器を直列接続したことを特徴とする請求項１乃至４記載キュービクル式電気工作物の静電気除去装置。
【発明の詳細な説明】
【技術分野】
【０００１】
本発明はキュービクル式電気工作物に関し、該電気工作物の筐体表面及び筐体内部から表面に露出した操作器具、表示装置、信号入出力端子及び記録装置などを配設したキュービクル式電気工作物の静電気除去装置に関するものである。
【背景技術】
【０００２】
近年、電気回路を構成する部品、電気器具を構成する部品及び電子回路を構成する部品（以下、総称して電気部品という。）の小型化により、箱形の金属製筐体に目的とする操作、表示、信号入出力及び記録などの制御を行うために必要な機器一式を納めたキュービクル式事業用電気工作物及びキュービクル式一般用電気工作物（以下、総称して電気工作物という。）が増えている。
【０００３】
一般に電気工作物の筐体は、該電気工作物を設置及び維持管理する者に対して、経済産業省令「電気設備に関する技術基準を定める省令」の第１０条「電気設備の接地」及び第１１条「電気設備の接地方法」、並びに前記省令の具体的な手段及び方法を示している「電気設備の技術基準の解釈」の第１９条「接地工事の種類」により、電気工作物筐体の接地方法や接地基準が定められている。このため、電気工作物の筐体は筐体の一部分と接地母線及びアース線とを接続する構造により、上記省令及び解釈の接地基準で定められた接地抵抗値以下になっている。この基準が定める筐体接地の目的は、感電防止や異常時電圧上昇防止であるため、電気工作物の筐体には防錆を目的とした塗装が施してある。従って、電気工作物の筐体表面及び筐体内部から表面に露出し配設された操作器具、表示装置（信号入力が可能なタッチパネル式表示装置を含む）、信号入出力端子及び記録装置など（以下、総称して操作器具類という。）と操作者とが接触または近接した時に、操作者の身体及び衣類に帯電している静電気は筐体に放電せず、操作器具類を構成する部品に放電することがある。このため、電気工作物を構成する電気部品を経由した接地点に導通する放電経路を形成することにより、該電気工作物の誤動作及び該電気工作物を構成する電気部品の故障や破損の原因となる静電気障害（以下、静電気を原因とする電気工作物の誤動作及び電気工作物を構成する電気部品の故障や破損を、単に静電気障害という。）が起こることがある。この課題を解決する従来の技術として、操作器具類の静電気除去構造を記載した特許文献１，２及び３が知られている。
【０００４】
特許文献１のものは、操作部が筐体から露出して設置され、オペレータが操作する時に手が触れるように前記操作部が金属板で構成されるか、またはその金属板が表面に配備されている。この金属板は静電気除去機構の一部を構成し、グランドラインに接続することによって、電子装置を操作するオペレータの身体に帯電した静電気を除去しているものである。
【０００５】
特許文献２のものは、表示装置の画面上に指やペンなどで押圧して信号入力が可能なタッチパネルを備えた液晶表示装置において、タッチパネル表面を構成する一部材となる透明導電膜が露出する部分を覆う導電体を配し、且つこの導電体を該装置の接地された筐体に接続することによって、タッチパネルの表面から前記導電体、該装置の筐体に導通する放電経路ができ、前記透明導電膜に静電気ノイズが侵入することを防止しているものである。
【０００６】
特許文献３のものは、表示装置の表面にある偏向板の表面に透明導電膜を設け、前記透明導電膜をアースに接続することにより、該装置表面で発生する静電気をアースへ逃がし該装置の静電気障害を防止するものである。
【０００７】
また、前記特許文献による公知例のほかに電気工作物操作者の身体に帯電した静電気を除去する方法として、以下の従来技術が知られている。
【０００８】
図５は従来技術における電気工作物操作者の身体及び衣類に帯電した静電気を除去する方法であり、（ａ）は導電性マットと導電性履物を使用した例で、電気工作物４０１を操作する位置にアース線４０３付きの導電性マット４０４を敷き、前記アース線４０３と接地点４０２とを導通し放電経路を形成するとともに、操作者４０５が導電性履物４０６を着用することにより、操作者４０５の身体及び衣類に帯電した静電気は、操作者４０５から導電性履物４０６、導電性マット４０４、アース線４０３、接地点４０２の順に放電経路を導通して除去される。（ｂ）は導電性バンドを使用した例で、操作者４０７の手首または足首など身体の一部に接地点４０８に導通し放電経路を形成するアース線４０９付きの導電性バンド４１０を巻き、操作者４０７の身体及び衣類に帯電した静電気は、操作者４０７から導電性バンド４１０、アース線４０９、接地点４０８の順に放電経路を導通して除去される。
【特許文献１】特開平１１−０４０３８８号公報
【特許文献２】特開２００２−３２３６９１号公報
【特許文献３】特開平６−０１８９３１号公報
【発明の開示】
【発明が解決しようとする課題】
【０００９】
上記の特許文献１のものは、操作部が操作者の触れる金属を持つ構成で、特許文献２及び３のものは、操作器具類を構成する部品に静電気除去のための導電性を有する素材を付加している。これらの静電気除去構造によって、電気工作物及び電気工作物を構成する電気部品を静電気障害から保護している。また、図５で示す従来技術は、操作者に導電性履物や導電性バンドなど（以下、総称して静電気除去具という。）を着用することにより、操作者の身体及び衣類に帯電している静電気を除去している。上記のように特許文献１，２及び３や従来技術は、様々な構造及び構成により静電気の除去を行っているが次のような問題がある。
【００１０】
特許文献１のように、操作部が操作者の触れる金属を持ち、前記金属が接地されている構成では、操作者の身体及び衣類に静電気が帯電した状態で、且つ操作器具類に近接した時に気中放電を起こすことがあり、この気中放電をした静電気は前記金属に放電するとは限らず、操作器具類を構成する部品に放電し、この部品から他の電気部品を経由した放電経路を形成することがあり、電気工作物の静電気障害を確実に防止することが出来ない。また、前記金属は操作部を金属板で構成するまたは金属板を表面に配備する構成に限定されているため、プラスチックなどの金属以外で形成する操作器具類を使用できないことや、操作部が複雑な形状の場合にはプラスチックなどに比べて加工性が悪いなどの問題がある。
【００１１】
また、特許文献２及び３のように、静電気除去のための導電性素材を付加した操作器具類を使用することが前提条件となり、汎用の操作器具類に比べてコストが高くなることや汎用の操作器具類を選定出来ない制限がある。
【００１２】
さらに図５で示すような従来技術では、複数人で操作を行う時に静電気除去具の数量管理が必要となることや、操作者が交代する時に静電気除去具を付け外す煩わしさがあり、且つ静電気除去具の着用または携帯の周知徹底が必要となる。
【００１３】
この発明は、上記の事情に鑑みなされたもので、その目的とするところはキュービクル式電気工作物の静電気除去構造に優れ、操作者に帯電した静電気によって電気工作物に接触または近接した時に起こる静電気障害を確実に防止し、且つ簡単で安価な構成でありながら汎用の操作器具類が使用でき、静電気除去具を付け外す煩わしさや数量管理や着用または携帯の周知徹底をする必要が無く、導電性カバーを構成する材料を限定しないキュービクル式電気工作物の静電気除去装置を提供することにある。
【課題を解決するための手段】
【００１４】
上記の課題を解決する第1発明のキュービクル式電気工作物は、該電気工作物の筐体表面及び筐体内部から表面に露出し配設された操作器具類に、操作器具類と操作面側の周囲とを仕切るための操作面側が開口した導電性カバーを被せ、且つこの導電性カバーから接地点に至る放電経路を形成するとともに、前記操作器具類の操作時に前記放電経路で静電気を除去するように構成したことを特徴とする。なお、操作面側に操作器具類が複数ある場合は、前記導電性カバーを個々の操作器具類毎に被せる構造、または個々の操作器具類を一括して被せる構造のどちらでも良いものとする。
【００１５】
第２発明のキュービクル式電気工作物は、該電気工作物の筐体表面及び筐体内部から表面に露出し配設された操作器具類に、操作器具類と操作面側の周囲とを仕切るための操作面側が開口した導電性カバーを被せ、この導電性カバーの一端と電気工作物の筐体とを支持部材を介して開閉自在に連接し、且つ前記導電性カバーと放電経路とをアース線で接続し、導電性カバーから接地点に至る放電経路を形成するとともに、前記操作器具類の操作時に前記放電経路で静電気を除去するように構成したことを特徴とする。なお、操作面側に操作器具類が複数ある場合は、前記導電性カバーを個々の操作器具類毎に被せる構造、または個々の操作器具類を一括して被せる構造のどちらでも良いものとする。
【００１６】
第３発明のキュービクル式電気工作物は、該電気工作物の筐体表面及び筐体内部から表面に露出し配設された操作器具類に、操作器具類と操作面側の周囲とを仕切るための操作面側が開口した導電性カバーを被せ、この導電性カバーの一端と電気工作物の筐体とを支持部材を介して開閉自在に連接し、前記導電性カバーに導電性の接点を設け、且つ操作器具類に被せるように閉じた時に、前記接点が接地点に導通する筐体導電部に接触し、導電性カバーから接地点に至る放電経路を形成するとともに、前記操作器具類の操作時に前記放電経路で静電気を除去するように構成したことを特徴とする。なお、操作面側に操作器具類が複数ある場合は、前記導電性カバーを個々の操作器具類毎に被せる構造、または個々の操作器具類を一括して被せる構造のどちらでも良いものとする。
【００１７】
第４発明のキュービクル式電気工作物は、該電気工作物の筐体表面及び筐体内部から表面に露出し配設された操作器具類に、操作器具類と操作面側の周囲とを仕切るための操作面側が開口した導電性カバーを被せ、この導電性カバーは電気工作物の筐体とは分離自在に構成し、前記導電性カバーに導電性の接点を設け、且つ操作器具類に被せるように取り付けた時に、前記接点が接地点に導通する筐体導電部に接触し、導電性カバーから接地点に至る放電経路を形成するとともに、前記操作器具類の操作時に前記放電経路で静電気を除去するように構成したことを特徴とする。なお、操作面側に操作器具類が複数ある場合は、前記導電性カバーを個々の操作器具類毎に被せる構造、または個々の操作器具類を一括して被せる構造のどちらでも良いものとする。
【００１８】
第５発明のキュービクル式電気工作物は、該電気工作物の筐体表面及び筐体内部から表面に露出し配設された操作器具類に、操作器具類と操作面側の周囲とを仕切るための操作面側が開口した導電性カバーを被せ、且つこの導電性カバーから接地点に至る放電経路の途中に、任意の大きさの抵抗値を有する抵抗器を直列接続し、導電性カバーから接地点に至る前記放電経路を形成するとともに、前記操作器具類の操作時に前記放電経路で静電気を除去するように構成したことを特徴とする。なお、操作面側に操作器具類が複数ある場合は、前記導電性カバーを個々の操作器具類毎に被せる構造、または個々の操作器具類を一括して被せる構造のどちらでも良いものとする。
【発明の効果】
【００１９】
以上述べたように、本発明のキュービクル式電気工作物の静電気除去装置によれば、操作器具類と操作面側の周囲とを導電性カバーを被せて仕切り、且つ操作時は導電性カバーを開くまたは取り外して操作器具類に触れる構造とし、静電気が帯電した操作者が操作器具類に接触する放電は勿論のこと、近接による気中放電の時も、電気工作物及び電気工作物を構成する電気部品の故障や破損の原因となる静電気障害を確実に防止出来る。
【００２０】
また、導電性カバーで静電気除去を行うため、簡単で安価な構成でありながら汎用の操作器具類が使用でき、操作者が交代するときの静電気除去具を付け外す煩わしさや複数人で操作を行う時の静電気除去具を数量管理する手間や静電気除去具の着用または携帯を周知徹底するなどの必要が無く、さらに導電性カバーを構成する材料は限定されていないため、電気工作物の操作部形状が複雑な場合は、加工性の良い導電性材料を選定すれば良く、電気工作物の用途、設置場所の環境及び操作部形状など、目的に合わせた導電性材料を選定でき、且つ操作器具類を構成する部品の素材に静電気除去機能を付加しないため、操作器具類を選定する時は使用目的に合わせた操作器具類を制限せず自由に選定することが出来る。
【発明を実施するための最良の形態】
【００２１】
以下この発明の実施形態を図面に基づいて説明する。
〈実施の形態１〉図１（ａ）は本発明の実施形態１に係るキュービクル式電気工作物の全体図、（ｂ）は図１（ａ）の静電気除去装置及び操作器具類を拡大したＡ方向矢視図、（ｃ）は図１（ａ）の静電気除去装置及び操作器具類を拡大した正面図である。
【００２２】
図１に示すキュービクル式電気工作物の静電気除去装置は、電気工作物１の筐体表面及び筐体内部から表面に露出し配設された操作器具類２に、操作器具類２と操作面６側の周囲とを仕切るための操作面６側が開口した導電性カバー３が被せられる。該電気工作物１の筐体に支持部材７を介して前記導電性カバー３の一端側を取り付け開閉自在に支持されている。この導電性カバー３は、常時においては操作器具類２を包被した状態となり、操作器具類２の操作時には支持部材７を支点として開く。また、この導電性カバー３と放電経路１１とをアース線５で接続し、導電性カバー３から接地点４に至る放電経路１１を形成している。このため、操作者の身体及び衣類に静電気が帯電した状態で操作器具類２を操作する時には、必ず操作前に一端を軸として開閉操作が出来る導電性カバー３を開くことにより、操作者と導電性カバーとが接触し放電経路１１が形成されて静電気が除去される。また、操作者や周辺作業者の身体及び衣類に静電気が帯電した状態で操作器具類２に近接した時は、操作器具類２が導電性カバー３に覆われているため、電気工作物１の筐体及び導電性カバー３に気中放電をし、操作器具類２及び電気工作物１を構成する電気部品を経由しないで放電経路１１を通じて静電気が除去される。
【００２３】
従って、本実施形態１のキュービクル式電気工作物の静電気除去装置によれば、操作者や周辺作業者の身体及び衣類に静電気が帯電している時に、操作器具類と操作者や周辺作業者との間には導電性カバーを介して仕切られているため、操作時の操作器具類に接触する放電は勿論のこと、近接による気中放電の時も、操作器具類及び電気工作物を構成する電気部品に経由しない放電により、電気工作物の誤動作及び電気工作物を構成している電気部品の故障や破損の原因となる静電気障害を確実に防止することが出来る。しかも、簡単で安価な構成でありながら汎用の操作器具類が使用でき、静電気除去具を付け外す煩わしさや数量管理や着用または携帯を周知徹底する必要が無く、導電性カバーを構成する材料を限定しない静電気除去装置を実現することが出来る。
〈実施の形態２〉図２（ａ）は本発明の実施形態２に係るキュービクル式電気工作物の全体図、（ｂ）は図２（ａ）の静電気除去装置及び操作器具類を拡大したＡ方向矢視図、（ｃ）は図２（ａ）の静電気除去装置及び操作器具類を拡大した正面図である。
【００２４】
図２に示すキュービクル式電気工作物の静電気除去装置と図１との相違点は、放電経路のみで他の部分は同じ構成である。すなわち電気工作物１０１の筐体表面及び筐体内部から表面に露出し配設された操作器具類１０２に、操作器具類１０２と操作面１０６側の周囲とを仕切るための操作面１０６側が開口した導電性カバー１０３を被せ、この導電性カバー１０３に導電性の接点１０７を設け、前記導電性カバー１０３を操作器具類１０２に被せるように閉じた時に、前記接点１０７が接地点１０４に導通する筐体導電部１０８に接触し、導電性カバー１０３から接地点１０４に至る放電経路１１１が形成される。前記接点は電気工作物の筐体表面が防錆などの目的で塗料が塗布されているため、筐体内部の支持金具類や筐体を構成するためのネジ穴部などの筐体導電部１０８を利用しても良いが、別途加工して筐体導電部１０８を設けても良く、また別の導電性材料を電気工作物１０１の筐体に固着させても良い。このため、操作者の身体及び衣類に静電気が帯電した状態で、且つ操作器具類１０２を操作する時は、必ず操作前に一端を軸として開閉操作が出来る導電性カバー１０３を開くことにより、操作者と導電性カバーとが接触し放電経路１１が形成されて静電気が除去される。また、操作者や周辺作業者の身体及び衣類に静電気が帯電した状態で、操作器具類１０２に近接した時は、操作器具類１０２が導電性カバー１０３に覆われているため、電気工作物１０１の筐体及び導電性カバー１０３に気中放電をし、操作器具類１０２や電気工作物１０１を構成する電気部品を経由しないで放電経路１１１を通じて静電気が除去される。
【００２５】
従って、本実施形態２のキュービクル式電気工作物の静電気除去装置によれば、操作者や周辺作業者の身体及び衣類に静電気が帯電している時に、操作器具類と操作者や周辺作業者との間には導電性カバーを介して仕切られているため、操作時の操作器具類に接触する放電は勿論のこと、近接による気中放電の時も、操作器具類及び電気工作物を構成する電気部品に経由しない放電により、電気工作物の誤動作及び電気工作物を構成している電気部品の故障や破損の原因となる静電気障害を確実に防止することが出来る。しかも、簡単で安価な構成でありながら汎用の操作器具類が使用でき、静電気除去具を付け外す煩わしさや数量管理や着用または携帯を周知徹底する必要が無く、導電性カバーを構成する材料を限定しない静電気除去装置を実現することが出来る。
〈実施の形態３〉図３（ａ）は本発明の実施形態３に係るキュービクル式電気工作物の全体図、（ｂ）は図３（ａ）の静電気除去構造及び操作器具類を拡大したＡ方向矢視図、（ｃ）は図３（ａ）の静電気除去構造及び操作器具類を拡大した正面図である。
【００２６】
図３に示すキュービクル式電気工作物の静電気除去装置は、導電性カバーと電気工作物の筐体とは支持部材を介して連設されたものではなく、両者は分離自在となる構成で、他の部分の構成は図２と同様である。すなわち、電気工作物２０１の筐体表面及び筐体内部から表面に露出し配設された操作器具類２０２に、操作器具類２０２と操作面２０６側の周囲とを仕切るための操作面２０６側が開口した導電性カバー２０３を被せ、この導電性カバー２０３に導電性の接点２０７を設け、前記導電性カバー２０３を操作器具類２０２に被せるように取り付けた時に、前記接点２０７が接地点２０４に導通する筐体導電部２０８に接触し、導電性カバー２０３から接地点２０４に至る放電経路２１１が形成される。このため、操作者の身体及び衣類に静電気が帯電した状態で、操作器具類２０２を操作する時は、必ず操作前に付け外しが出来る導電性カバー２０３を外すことにより、操作者と導電性カバー３０３とが接触し、放電経路２１１が形成されて静電気が除去される。また、操作者や周辺作業者の身体及び衣類に静電気が帯電した状態で、操作器具類２０２に近接した時は、操作器具類２０２が導電性カバー２０３に覆われているため、電気工作物２０１の筐体及び導電性カバー２０３に気中放電をし、操作器具類２０２及び電気工作物２０１を構成する電気部品を経由しないで放電経路２１１を通じて静電気が除去される。
【００２７】
従って、本実施形態３のキュービクル式電気工作物の静電気除去装置によれば、操作者や周辺作業者の身体及び衣類に静電気が帯電している時に、操作器具類と操作者や周辺作業者との間には導電性カバーを介して仕切られているため、操作時の操作器具類に接触する放電は勿論のこと、近接による気中放電の時も、操作器具類及び電気工作物を構成する電気部品に経由しない放電により、電気工作物の誤動作及び電気工作物を構成している電気部品の故障や破損の原因となる静電気障害を確実に防止することが出来る。しかも、簡単で安価な構成でありながら汎用の操作器具類が使用でき、静電気除去具を付け外す煩わしさや数量管理や着用または携帯を周知徹底する必要が無く、導電性カバーを構成する材料を限定しない静電気除去装置を実現することが出来る。
〈実施の形態４〉図４（ａ）は本発明の実施形態４に係るキュービクル式電気工作物の全体図、（ｂ）は図４（ａ）の静電気除去装置及び操作器具類を拡大したＡ方向矢視図、（ｃ）は図４（ａ）の静電気除去装置及び操作器具類を拡大した正面図である。
【００２８】
図４に示すキュービクル式電気工作物の静電気除去装置と図１との相違点は、放電経路に抵抗器を挿入した点で、他の部分の構成は図１と同様である。すなわち、導電性カバー３０３と接地点３０４との間には、放電経路３１１の途中に任意の抵抗値を有する抵抗器３０７を直列接続し、操作者の身体及び衣類に静電気が帯電した状態で、操作器具類３０２を操作する時は、必ず操作前に一端を軸として開閉操作が出来る導電性カバー３０３を開くことにより、操作者と導電性カバー３０３とが接触し、放電経路３１１が形成されてゆるやかな放電により静電気が除去される。また、操作者や周辺作業者の身体及び衣類に静電気が帯電した状態で、操作器具類３０２に近接した時は、操作器具類３０２が導電性カバー３０３に覆われているため、電気工作物３０１の筐体及び導電性カバー３０３に気中放電をし、操作器具類３０２及び電気工作物３０１を構成する電気部品を経由しないで放電経路３１１を通じたゆるやかな放電により静電気が除去される。
【００２９】
なお、本実施形態４で静電気を除去するための上記記載の放電経路３１１の構成以外は、実施形態１の他に、２及び３と同様な静電気除去装置の構成による発明形態の実施が可能であることは勿論である。
【００３０】
従って、本実施形態４のキュービクル式電気工作物の静電気除去装置によれば、操作者や周辺作業者の身体及び衣類に静電気が帯電している時に、操作器具類と操作者や周辺作業者との間には導電性カバーを介して仕切られているため、操作時の操作器具類に接触する放電は勿論のこと、近接による気中放電の時も、操作器具類及び電気工作物を構成する電気部品に経由しない放電により、電気工作物の誤動作及び電気工作物を構成している電気部品の故障や破損の原因となる静電気障害を確実に防止することが出来る。しかも、簡単で安価な構成でありながら汎用の操作器具類が使用でき、静電気除去具を付け外す煩わしさや数量管理や着用または携帯の周知徹底をする必要が無く、導電性カバーを構成する材料を限定せずに操作者の身体及び衣類に帯電した静電気をゆるやかに放電する静電気除去装置を実現することが出来る。
【図面の簡単な説明】
【００３１】
【図１】本発明の実施形態１に係わるキュービクル式電気工作物の静電気除去装置を示したもので（ａ）は全体図、（ｂ）はＡ方向矢視図、（ｃ）は正面図。
【図２】本発明の実施形態２に係わるキュービクル式電気工作物の静電気除去装置を示したもので（ａ）は全体図、（ｂ）はＡ方向矢視図、（ｃ）は正面図。
【図３】本発明の実施形態３に係わるキュービクル式電気工作物の静電気除去装置を示したもので（ａ）は全体図、（ｂ）はＡ方向矢視図、（ｃ）は正面図。
【図４】本発明の実施形態４に係わるキュービクル式電気工作物の静電気除去装置を示したもので（ａ）は全体図、（ｂ）はＡ方向矢視図、（ｃ）は正面図。
【図５】従来技術の身体及び衣類に帯電した静電気除去方法を示したもので（ａ）は導電性マットと導電性履物を使用した構成図、（ｂ）は導電性バンドを使用した構成図。
【符号の説明】
【００３２】
１・・・電気工作物
２・・・操作器具類
３・・・導電性カバー
４・・・接地点
５・・・アース線
６・・・操作面
７・・・支持部材
１１・・・放電経路
１０１・・・電気工作物
１０２・・・操作器具類
１０３・・・導電性カバー
１０４・・・接地点
１０６・・・操作面
１０７・・・接点
１０８・・・筐体導電部
１１１・・・放電経路
２０１・・・電気工作物
２０２・・・操作器具類
２０３・・・導電性カバー
２０４・・・接地点
２０６・・・操作面
２０７・・・接点
２０８・・・筐体導電部
２１１・・・放電経路
３０１・・・電気工作物
３０２・・・操作器具類
３０３・・・導電性カバー
３０４・・・接地点
３０５・・・アース線
３０７・・・抵抗器
３１１・・・放電経路
４０１・・・電気工作物
４０２・・・接地点
４０３・・・アース線
４０４・・・導電性マット
４０５・・・操作者
４０６・・・導電性履物
４０７・・・操作者
４０８・・・接地点
４０９・・・アース線
４１０・・・導電性バンド
【図１】
2005222706.tif 000003
【図２】
2005222706.tif 000004
【図３】
2005222706.tif 000005
【図４】
2005222706.tif 000006
【図５】
2005222706.tif 000007